(57)【特許請求の範囲】
【請求項１】
電源部と、
状態検出部と、
前記電源部からの供給電圧を監視する電圧監視部と、
前記状態検出部の出力信号に基づいて状態を判断する状態判別部と、
前記状態判別部の判断結果に基づいて警報を出力させる制御部と、
前記制御部の制御信号により駆動される発音部品及び表示灯と
を備える警報器において、
前記状態判別部が異常と判断したとき又は前記電圧監視部が電圧低下と判断したときに、前記制御部は、前記発音部品と前記表示灯を駆動開始させ、かつ、前記表示灯の駆動時間を前記発音部品の駆動時間より長くしたこと
を特徴とする警報器。
【発明の詳細な説明】
【技術分野】
【０００１】
本発明は、警報器に関し、特に警報器から発せられる電池切れ警報に関するものである。
【背景技術】
【０００２】
従来の技術として、例えば「電圧監視部１７Ｂは、バッテリーＢの消耗を示す電圧まで低下するとその検出信号を制御部１５Ｂに入力するようになっている。制御部１５Ｂは、制御部１５と同じ制御機能を有すると共に、電圧監視部１７ＢからのバッテリーＢの消耗検出信号の入力により、表示ランプ１３の点滅、警報ブザー１２による警告音の鳴動或いはこれら双方を実行させる制御を行う」警報器が提案されている（例えば、特許文献１参照）。
【先行技術文献】
【特許文献】
【０００３】
【特許文献１】特開２００７−２２６５８６号公報（第９頁、図４）
【発明の概要】
【発明が解決しようとする課題】
【０００４】
上記の特許文献１の警報器は、警報器が発する警告音と、居室内の家電製品等からの発生音とが類似しており、その識別が困難であり、また、警報ブザーの警告音と表示ランプの点滅が数分毎に１回だけ同期して制御されるため、複数の警報器が設置されている場合にどの警報器がバッテリー消耗を示す警報出力しているか特定できないという問題点があった。
【０００５】
本発明は、上記のような課題を解決するためになされたものであり、居室内の家電製品等からの発生音と警報器からの電池切れ警報音とを識別しやすくするとともに、電池切れ警報を出力している警報器を特定しやすくした警報器を提供することを目的とする。
【課題を解決するための手段】
【０００６】
本発明に係る警報器は、電源部と、状態検出部と、前記電源部からの供給電圧を監視する電圧監視部と、前記状態検出部の出力信号に基づいて状態を判断する状態判別部と、前記状態判別部の判断結果に基づいて警報を出力させる制御部と、前記制御部の制御信号により駆動される発音部品及び表示灯とを備える警報器において、前記状態判別部が異常と判断したとき又は前記電圧監視部が電圧低下と判断したときに、前記制御部は、前記発音部品と前記表示灯をほぼ同時に駆動開始させ、かつ、前記表示灯の駆動時間を前記発音部品の駆動時間より長くしたものである。
【発明の効果】
【０００９】
本発明においては、警報器の電池切れ等の異常警報は、警報音の鳴動と表示灯の点灯とがほぼ同時に出力された後は、表示灯の点灯または点滅だけが所定時間継続されるという出力形態を所定のタイミングで繰り返すため、警報器が異常警報を出力したことを把握しやすくなる。
【図面の簡単な説明】
【００１２】
【図１】本発明の実施の形態１に係る火災警報器１００の回路構成を示す機能ブロック図である。
【図２】本発明の実施の形態１に係る制御部１０の内部構成を示すブロック図である。
【図３】(a) 従来の火災警報器の電池切れ警報動作のタイムチャートである。(b) 本発明の実施の形態１に係る火災警報器１００の電池切れ警報動作のタイムチャートである。
【図４】本発明の実施の形態１に係る火災警報器１００の電池切れ警報処理のフローチャートの一例である。
【図５】本発明の実施の形態１に係る火災警報器１００の電池切れ警報処理のフローチャートの他の例である。
【図６】図５の電池切れ警報処理における警報動作のタイムチャートである。
【発明を実施するための形態】
【００１３】
実施の形態１．
以下、本実施の形態１では、電池で駆動される火災警報器に本発明を適用した場合を例に説明する。
図１は、本発明の実施の形態１に係る火災警報器１００の回路構成を示す機能ブロック図である。
図１において、火災警報器１００は、状態判別部が含まれる制御部１０と、電池１と、定電圧回路２と、点検スイッチ３と、ＥＥＰ−ＲＯＭ４と、状態検出部として機能する煙検知部２０及び熱検知部３０と、警報音制御回路４０と、表示灯回路５０と、電圧監視部として機能する電池電圧監視回路６０とを備える。
【００１４】
制御部１０は、ワンチップマイコン等で構成されており、火災警報器１００の全体的な制御を行う。制御部１０は、各内部回路からの信号を定期的に取り込み、その信号に応じた処理を行っている。例えば、制御部１０が煙検知部２０の受光アンプ２３からの信号（火災検出信号）を取り込んだ場合、この火災検出信号に基づいて警報鳴動が必要か否かを判断する。制御部１０が火災検出信号を取り込み、警報鳴動が必要であると判断した場合には、制御部１０は警報鳴動の音声データを警報音制御回路４０に出力する。
【００１５】
制御部１０の内部構成については図２を用いて後述するが、制御部１０は、異常監視動作や火災監視動作の待機時はメインクロック発振部１６からのクロック信号の供給を停止して、サブクロック発振部１７からのクロック信号の供給のみで動作するスリープモードで動作している。しかし、定期的なタイマ割り込みや点検スイッチ割り込み等があったときには、制御部１０はスリープモードを停止してメインクロック発振部１６のクロック信号を供給させて、必要な動作を行う。
【００１６】
定電圧回路２は、電池１の電源電圧を所定の定電圧電源（例えば、約２．３Ｖの電圧）として制御部１０等に供給する。点検スイッチ３は、居住者等のユーザによる押下操作を受け付けるものである。点検スイッチ３が押下されると、制御部１０は点検スイッチ３の押下信号を取り込み、そして点検スイッチ３の入力が確定したか否かを判断する。制御部１０が、点検スイッチ３の入力が確定したと判断した場合、制御部１０から警報音や表示灯などの動作に関する点検を開始させる信号が送信される。ＥＥＰ−ＲＯＭ４は、制御部１０の演算部１１が実行するプログラムや各種データを格納している。
【００１７】
煙検知部２０は、発光素子である赤外ＬＥＤ２４と、制御部１０からの発光制御パルスを受けたときに、赤外ＬＥＤ２４に電流パルスを供給する赤外ＬＥＤドライブ回路２１とを備えている。さらに煙検知部２０は、赤外ＬＥＤ２４から検煙部（図示せず）に照射された光が煙粒子によって生じさせる散乱光を受光するフォトダイオード（ＰＤ）等の受光素子を備えており、赤外ＬＥＤ２４の発光による散乱光を受光する。そして、フォトダイオード電流電圧変換回路２２において、フォトダイオードで受光した散乱光の量に基づいて得られた電流を電圧に変換する。その電圧の出力レベルを、受光アンプ２３において所定のゲインで増幅し、制御部１０に送信する。
【００１８】
熱検知部３０は、固定抵抗３１と、サーミスタ３２による温度センサで構成されている。固定抵抗３１とサーミスタ３２との間の中間電位が熱検知部３０の出力端子であり、その出力端子を介して温度検出信号を制御部１０に送信している。サーミスタ３２は、環境温度に応じてその抵抗値が変動する温度特性を有する。補償用の固定抵抗３１によりサーミスタ３２の温度特性がリニア化されるため、出力端子には環境温度に応じた検出電圧（温度情報）が入力される。なお、本実施の形態においては、煙検知部２０及び熱検知部３０の双方を設けた例について示したが、本発明においてはその何れか一方のみを設けるようにしてもよい。
【００１９】
警報音制御回路４０は、ローパスフィルタを備えた音声用Ｄ／Ａ変換器４１と、発音部品としての音声アンプ４２及びスピーカ４３とで構成される。ローパスフィルタは、制御部１０から送信された音声データを、予めユーザが聴き取りやすい周波数帯域に調整する役割を果たす。
【００２０】
警報音制御回路４０において、制御部１０から入力された音声データ（ディジタル信号）は、音声用Ｄ／Ａ変換器４１で音声信号（アナログ信号）に変換され、ローパスフィルタを介して出力される。そして、制御部１０から音量制御信号が音声アンプ４２に送信され、音声アンプ４２で音声信号（アナログ信号）の増幅度が調整される。スピーカ４３では、音声アンプ４２で増幅された音声信号が出力される。
【００２１】
表示灯回路５０は、火災警報器１００の状態を、確認灯ドライブ回路５１に接続されている赤色ＬＥＤ５２に表示させるものである。なお、火災警報器１００の状態として、正常に火災検出動作している場合（火災を検出しておらず、電池残量やセンサ機器等にも異常が無い状態）の他、電池残量の低下による異常や、センサの故障等の機器による異常が発生している場合、そして火災を検出して警報出力している場合等がある。赤色ＬＥＤ５２は、火災警報器１００の筐体に設けられている。なお、表示灯として赤色ＬＥＤ５２を用いているが、その種類や個数を特に限定するものではない。
【００２２】
電池電圧監視回路６０は、制御部１０に印加される電圧を検出し、検出した電圧に応じた電池電圧検出信号を制御部１０に出力する。電池電圧監視回路６０は、電池残量が低下したこと又は電池切れの閾値よりも低下したことを検出すると、制御部１０に電池電圧検出信号を出力し、制御部１０は警報音制御回路４０に「ピポ」という警報音を鳴動させる制御信号を送信するとともに、表示灯回路５０に表示灯を点滅させる制御信号を送信する。
【００２３】
図２は、制御部１０の内部構成を示すブロック図である。
図２に基づいて、制御部１０の主要な内部構成について説明する。制御部１０は、火災警報器１００の動作を統括制御する演算部１１と、ＲＯＭ１２と、ＲＡＭ１３などを主要な回路として備えている。
【００２４】
演算部１１は、上述した各回路から送信される各種データに基づいて、異常の発生や火災の発生を判断する異常監視動作や火災監視動作を実行する。すなわち、演算部１１は状態判別部としての役割を果たす。演算部１１は、ＣＰＵ（中央演算装置）やＭＰＵ（超小型演算処理装置）等で構成されている。ＲＯＭ１２は、演算部１１が実行するプログラムや各種データを記憶している。ＲＡＭ１３は、演算部１１がプログラムを実行する際に各種データを一時的に格納するワークメモリやページメモリ等のメモリとして機能する。
【００２５】
演算部１１には、バス（数個の電源又は供給回路が接続される導線）を介してタイマ部１４と、Ａ／Ｄ変換器１５と、メインクロック発振部１６と、サブクロック発振部１７と、インターフェース部１８と、カウンタ１９とが接続されている。
【００２６】
タイマ部１４は、時間を計測するものである。例えば、タイマ部１４は、制御部１０が定期的に行う異常監視動作や火災監視動作の開始タイミングを計時するようになっている。つまり、タイマ部１４の計時するタイミングで定期的に割り込みが発生し、その割り込みによって演算部１１が動作するようになっている。また、タイマ部１４は、警報音の鳴動を停止したときからの時間を計時したり、赤色ＬＥＤ５２の点滅状態の周期を計時したりする。
【００２７】
Ａ／Ｄ変換器１５は、煙検知部２０や熱検知部３０から送信されるアナログ信号を入力し、その情報を検出レベルに変換して演算部１１に供給する。演算部１１は、この検出レベルに基づいて、火災警報器１００に異常や火災が発生しているかどうか判断する。
【００２８】
メインクロック発振部１６は、定期的なタイマ割り込みや点検スイッチ３の操作があった場合に、異常監視動作や火災監視動作を実行する際のクロック信号を演算部１１に供給する役目を果たす。
メインクロック発振部１６からのクロック信号が供給されている演算部１１は、各回路からのデータ、例えば火災検出データや、電池電圧データ等を収集し、それらのデータに基づいて、異常の発生の有無や火災の発生の有無を判断する異常監視動作や火災監視動作を実行する。そして、演算部１１は、異常監視動作や火災監視動作を終了すると、メインクロック発振部１６からのクロック信号の供給をサブクロック発振部１７からのクロック信号の供給に切り替えてスリープモードで動作する。
【００２９】
サブクロック発振部１７は、メインクロック発振部１６が供給するクロック信号よりも周波数の低いクロック信号を演算部１１に供給するものである。つまり、サブクロック発振部１７は、演算部１１を低速動作（スリープモード）にするクロック信号を供給する。
【００３０】
インターフェース部１８は、火災警報器１００を構成している各回路と制御部１０とを接続する機能を有している。つまり、火災警報器１００を構成している各回路は、インターフェース部１８を介して制御部１０と接続され、各種データの入出力を行う。
【００３１】
カウンタ１９は、後述の電池切れ警報処理を行う際のタイミングを取るためのカウンタであり、例えば１秒ごとにカウントする（後述の図４及び図５参照）。
【００３２】
次に、火災警報器１００の動作について説明する。ここでは、煙を検出して火災発生の有無を判断する場合を例に説明する。
火災警報器１００は、電池１から供給される電源電圧を定電圧回路２によって安定した所定の定電圧（例えば、約２．３Ｖの電圧）にし、制御部１０等に定電圧電源が供給される。火災警報器１００は、制御部１０が有するタイマ部１４が計時している所定の周期で火災監視動作及び異常監視動作を実行する。次に、制御部１０は、赤外ＬＥＤドライブ回路２１に発光制御パルスを供給し、所定のパルス幅及び所定の周期で赤外ＬＥＤ２４を発光させる。
【００３３】
煙検知部２０におけるフォトダイオードは、赤外ＬＥＤ２４の光路上には配置されておらず、赤外ＬＥＤ２４の光が直接フォトダイオードに到達することはない。しかし、火災等により発生した煙が、フォトダイオードと赤外ＬＥＤ２４との間に介在すると、煙の粒子により赤外ＬＥＤ２４の光が散乱され、その散乱された光をフォトダイオードが受光することになる。
【００３４】
上記の理由により、煙が発生していない場合は、フォトダイオードには赤外ＬＥＤ２４が発光した光がほとんど到達しない。つまり、受光アンプ２３で増幅された信号は、所定の基準値（火災発生レベル）以下になっているため、制御部１０からは、警報音制御回路４０及び表示灯回路５０を動作させる信号が出力されない。したがって、警報音制御回路４０では警報音が鳴動せず、表示灯回路５０では赤色ＬＥＤ５２に火災が発生していることを表示させることはない。
【００３５】
煙が発生している場合には、赤外ＬＥＤ２４により発光された光が、煙の粒子により散乱され、その散乱した光がフォトダイオードに到達する。つまり、受光アンプ２３で増幅された信号は、所定の基準値以上になっているため、制御部１０は火災が発生していると判断し、警報音制御回路４０及び表示灯回路５０を動作させる信号を出力する。すると、警報音制御回路４０は警報音を鳴動させ、表示灯回路５０は赤色ＬＥＤ５２に火災表示させる。
【００３６】
制御部１０内では、受光アンプ２３で増幅されたアナログ電気信号がＡ／Ｄ変換器１５で検出レベルに変換されて演算部１１に入力される。この検出レベルが入力された演算部１１は、この検出レベルを火災検出データとしてＲＡＭ１３に格納する。そして演算部１１は、ＲＡＭ１３に格納した火災検出データが、あらかじめ設定されている所定の基準値以上であるか否かによって火災発生の有無を判断する。したがって、演算部１１とＲＡＭ１３が状態判別部としての機能を有している。
【００３７】
演算部１１が、火災の発生ではないと判断したときは、スリープモードの動作状態に復帰する。一方、演算部１１が、火災の発生であると判断したときは、演算部１１は警報音制御回路４０に警報音を鳴動させ、表示灯回路５０には赤色ＬＥＤ５２に火災表示させる。
【００３８】
ここで、制御部１０から制御信号が送信された場合における警報音制御回路４０の動作について説明する。
制御部１０は、出力させたい音声データを音声用Ｄ／Ａ変換器４１に送信する。制御部１０から送信された音声データは、音声用Ｄ／Ａ変換器４１において音声信号に変換され、音声信号が音声アンプ４２に入力される。次に、制御部１０は、音声信号の出力音量を調整するための音量制御信号を音声アンプ４２に送信し、音声アンプ４２で音声信号の増幅度を調整させる。そして、増幅度が調整された音声信号が、スピーカ４３において警報音として出力される仕組みとなっている。
【００３９】
次に、図３を用いて本発明の実施の形態１に係る警報器の電池切れ警報動作について説明する。
図３(a)は従来の警報器の電池切れ警報のタイムチャートを、図３(b)は本実施の形態１に係る警報器の電池切れ警報のタイムチャートを示している。それぞれ、電池切れ警報時の警報音の出力と赤色ＬＥＤの出力をパルス信号として示している。
【００４０】
図３(a)に示すように、従来の警報器の電池切れ警報では、「ピ」という電池切れ警報音の１回の鳴動とほぼ同時に、赤色ＬＥＤ５２を１回点灯させていた。そして、最初の警報音の鳴動から１分経過後に、再び「ピ」という電池切れ警報音の鳴動と赤色ＬＥＤ５２の点灯をほぼ同時に１回行っていた。
【００４１】
本実施の形態１に係る警報器の電池切れ警報では、図３(b)に示すように、「ピポ」という電池切れ警報音の１回の鳴動とほぼ同時に、赤色ＬＥＤ５２を１回点灯し、その後は赤色ＬＥＤ５２のみを１秒間隔で点灯及び消灯を繰り返させる。警報音は「ピポ」という２音構成であり、電池切れ警報の音量は、火災警報の音量よりも小さく設定される。例えば、火災警報の音量をレベル５とすると、電池切れ警報の音量はレベル３〜４に設定される。また、警報音の鳴動時間及び赤色ＬＥＤ５２の点灯時間は例えば約２５０ｍｓである。
【００４２】
最初の警報音の鳴動から１分経過するまで、所定回数（例えば、５回）だけ赤色ＬＥＤ５２を点滅させる。最初の警報音の鳴動から１分経過後に、再び「ピポ」という電池切れ警報音の鳴動と赤色ＬＥＤ５２の点滅をほぼ同時に行い、その後は赤色ＬＥＤ５２のみを１秒ごとに点滅させる動作を所定回数だけ繰り返させる。
【００４３】
図３(b)では、警報音の鳴動周期を１分、赤色ＬＥＤ５２の点滅周期を１秒としているが、本発明はこれらの数値に限定されるものではない。また、２回目以降の警報音の鳴動に伴う赤色ＬＥＤ５２の点滅周期は、経過時間とともに変化させてもよい。なお、上記では赤色ＬＥＤ５２の点灯に関して、経過時間（例えば、１秒）により表現しているが、警報音鳴動の駆動回数及び赤色ＬＥＤ５２点灯の駆動回数により表現することもできる。すなわち、本実施の形態１では、いずれの場合においても、警報音鳴動の駆動回数よりも赤色ＬＥＤ５２点灯の駆動回数のほうが多くなるように設定される。
【００４４】
次に、上記の電池切れ警報処理について説明する。
図４は、本実施の形態１に係る警報器の電池切れ警報処理の一例のフローチャートである（図３（ｂ）はその動作を示したタイムチャートである）。なお、図４の電池切れ警報処理はタイマ部１４で計時される基本周期（例えば１秒）毎に行われる。
【００４５】
（Ａ１）まず、制御部１０は電池電圧監視回路６０に監視開始信号を送信する。この監視開始信号の送信は、基本周期（例えば１秒）毎に行われる。電池電圧監視回路６０は、監視開始信号を受信すると、制御部１０に印加されている電圧を検出し、その検出電圧に応じた電池電圧検出信号を制御部１０に送信する。そして、制御部１０が、電池電圧検出信号を受信するとそれに基づいて電池切れであるかどうか判断する（ステップＳ１１）。制御部１０は、電池電圧が電池切れが確定でないと判断すると（ステップＳ１１：Ｎｏ）、電池切れ警報処理の動作フローを終了する。
【００４６】
（Ａ２）制御部１０は、電池電圧が電池切れが確定であると判断すると（ステップＳ１１：Ｙｅｓ）、次に、電池切れ警報の警報タイミングであるかどうかを判断する（ステップＳ１２）。ここで、警報タイミングは、電池電圧が電池切れの最初の確定判断の時点から例えば、０〜４秒後の間、或いは最初の確定判断の時点から１分（若しくは１分の整数倍）経過した時点から０〜４秒後である。例えばカウンタ１９が１秒ごとに０から６０までカウントするものとし、そのカウンタ値が０〜４となったときを警報タイミングとする。制御部１０が、警報タイミングではないと判断すると（ステップＳ１２：Ｎｏ）、電池切れ警報処理の動作フローを終了する。
【００４７】
制御部１０が、警報タイミングであると判断すると（ステップＳ１２：Ｙｅｓ）、次に、１回目の警報タイミングであるかどうかを判断する（ステップＳ１３）。なお、１回目の警報タイミングとは、周期的なタイミング（例えば１分）を指し、カウンタ１９のカウント値が６０となったらクリアして警報タイミングとする。
【００４８】
（Ａ３）制御部１０は、１回目の警報タイミングであると判断すると（ステップＳ１３：Ｙｅｓ）、次に、例えば２５０ｍｓだけ警報音の「ピポ」を鳴動させるとともに赤色ＬＥＤ５２を点灯させて（ステップＳ１４）、電池切れ警報処理フローを終了する。この警報音の「ピポ」は、制御部１０が音声用Ｄ／Ａ変換器４１及び音声アンプ４２を制御し、スピーカ４３から発生させる。また、赤色ＬＥＤ５２の点灯は、制御部１０が確認灯ドライブ回路５１を駆動することによりなされる。このことは後述の場合においても同様である。
【００４９】
（Ａ４）制御部１０は、１回目の警報タイミングではないと判断すると（ステップＳ１３：Ｎｏ）、次に２〜５回目の警報タイミングであるかどうかを判断する（ステップＳ１５）。ここで、２〜５回目の警報タイミングとは、カウンタ１９が１回目の警報タイミングから基本周期（例えば１秒ごと）をカウントし、そのカウンタ値が１〜４になったタイミングである。  
【００５０】
（Ａ５）制御部１０は、２〜５回目の警報タイミングであると判断すると（ステップＳ１５：Ｙｅｓ）、次に、例えば２５０ｍｓだけ赤色ＬＥＤ５２のみを点灯させて（警報音の「ピポ」を鳴動させない）（ステップＳ１６）、電池切れ警報処理フローを終了する。
【００５１】
（Ａ６）制御部１０は、２〜５回目の警報タイミングではないと判断すると（ステップＳ１５：Ｎｏ）、電池切れ警報処理フローを終了する。なお、カウンタ１９のカウンタ値が４を超えたら警報タイミングの判断処理をしないで電池切れ警報処理フローを終了するようにしてもよい。
【００５２】
ところで、図４の例では電池切れ警報の作動回数に基づいて警報出力するようにした例について説明したが、後述の図５に示されるように、電池切れ警報の作動時間に基づいて警報出力するようにしてもよい。
【００５３】
図５は、本実施の形態１に係る警報器の電池切れ警報処理の他の例を示すフローチャートである。図６はその動作を示したタイムチャートであり、ここでは、赤色ＬＥＤ５２の点滅周期が１０秒の例について記載されている。なお、図５の警報処理においてもタイマ部１４で計時される基本周期（例えば１秒）毎に行われる。
【００５４】
（Ｂ１）制御部１０は、図４の場合と同様にして電池切れ警報処理を開始し、制御部１０が、電池電圧検出信号に基づいて電池切れであるかどうかを判断する（ステップＳ２１）。一方、制御部１０は、電池電圧が電池切れが確定でないと判断すると（ステップＳ２１：Ｎｏ）、電池切れ警報処理の動作フローを終了する。
【００５５】
制御部１０は、電池電圧が電池切れが確定であると判断すると（ステップＳ２１：Ｙｅｓ）、次に、１分タイミングであるかどうかを判断する（ステップＳ２２）。ここで、この１分タイミングは、電池電圧の電池切れの確定判断を最初に行った時点或いはその確定判断の時点から例えば１分（若しくは１分の整数倍）経過した時点であり、例えば基本周期（例えば１秒ごと）をカウントするカウンタ１９のカウンタ値が６０になったらクリアして１分タイミングとする。
【００５６】
（Ｂ２）制御部１０は、１分タイミングであると判断すると（ステップＳ２２；Ｙｅｓ）、
次に、例えば２５０ｍｓだけ警報音の「ピポ」を鳴動させるとともに赤色ＬＥＤ５２を点灯させて（ステップＳ２３）、電池切れ警報処理フローを終了する。
【００５７】
（Ｂ３）制御部１０は、１分タイミングではないと判断すると（ステップＳ２２：Ｎｏ）、次に、１０秒タイミングであるかどうかを判断する（ステップＳ２４）。この１０秒タイミングとは、１分タイミングの後の１０秒単位の経過時間というものであり、例えば１秒ごとにカウントするカウンタ１９のカウント値が１０，２０，３０，４０及び５０のときがそれぞれ該当する。
【００５８】
（Ｂ４）制御部１０は、１０秒タイミングであると判断すると（ステップＳ２４：Ｙｅｓ）、次に、２５０ｍｓだけ赤色ＬＥＤ５２のみを点灯し（警報音の「ピポ」を鳴動させない）（ステップＳ２５）、電池切れ警報処理フローを終了する。また、１０秒タイミングではない場合（ステップＳ２４：Ｎｏ）にも電池切れ警報処理フローを終了する。
【００５９】
なお、図５の例では、警報音の鳴動周期を１分、赤色ＬＥＤ５２の点灯周期を１０秒としているが、本発明はこれらの数値に限定されるものではない。また、上記説明では、電池で駆動される火災警報器に本発明を適用した場合を例に説明したが、電源の供給方法はこれに限定されるものではない。さらに、上記説明では火災警報器を例に説明したが、ガス漏れなどその他の監視領域の異常を検出する警報器に本発明を適用することもできる。
【００６０】
以上のように本実施の形態１においては、警報器１００の電池切れ等の異常警報は、警報音の鳴動と赤色ＬＥＤ５２の点灯とがほぼ同時に出力された後、赤色ＬＥＤ５２の点滅だけが所定時間又は所定回数継続されるという出力形態を所定のタイミングで繰り返すため、警報器が異常警報を出力したことが把握しやすいものとなっている。また、最初のタイミングの警報音「ピポ」は居室内の家電製品等からの発生音と識別でき、かつ確実に聞き取れる最短時間とすることで、警報器が異常警報を出力したことが把握し易くなっている。さらに、異常警報時の省電力化を実現させることもできる。
【００６１】
ところで、上記の実施の形態１においては、表示灯として赤色ＬＥＤ５２の例について説明したが、同様な機能を備えたものであれば他の構成を採用してもよい。また、警報音「ピポ」についても、家電製品等の発生音（電子音）と識別できるものであれば他の音声を採用してもよい。
【符号の説明】
【００６２】
１  電池、２  定電圧回路、３  点検スイッチ、４  ＥＥＰ−ＲＯＭ、１０  制御部、１１  演算部、１２  ＲＯＭ、１３  ＲＡＭ、１４  タイマ部、１５  Ａ／Ｄ変換器、１６  メインクロック発振部、１７  サブクロック発振部、１８  インターフェース部、１９  カウンタ、２０  煙検知部、２１  赤外ＬＥＤドライブ回路、２２  フォトダイオード電流電圧変換回路、２３  受光アンプ、２４  赤外ＬＥＤ、３０  熱検知部、３１  固定抵抗、３２  サーミスタ、４０  警報音制御回路、４１  音声用Ｄ／Ａ変換器、４２  音声アンプ、４３  スピーカ、５０  表示灯回路、５１  確認灯ドライブ回路、５２  赤色ＬＥＤ、６０  電池電圧監視回路、１００  火災警報器。
【図１】
0005235840.tif 000002
【図２】
0005235840.tif 000003
【図３】
0005235840.tif 000004
【図４】
0005235840.tif 000005
【図５】
0005235840.tif 000006
【図６】
0005235840.tif 000007